【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のワイヤレス通信デバイスから第2のワイヤレス通信デバイスに、許可なしの送信の一部としてアクセスリソースの共通プールから選択された第1のアクセスリソースを使用してデータの第1のセットを送信するステップと、
前記第1のワイヤレス通信デバイスによる、前記許可なしの送信が閾値を超えたという判定に応答して、許可なし送信においてリソースを共有するように構成される衝突低減プールから第2のアクセスリソースを選択するステップであって、前記衝突低減プールは、前記共通プールとは別個であり、かつ前記共通プールより大きい、選択するステップと、
前記第1のワイヤレス通信デバイスによる、前記衝突低減プールから選択された第2のアクセスリソースへの遷移を前記第2のワイヤレス通信デバイスに通知するステップであって、通知することが前記選択された第2のアクセスリソースを示す、通知するステップと、
前記第1のワイヤレス通信デバイスによる、前記第2のアクセスリソースに遷移した後、前記第2のアクセスリソースを使用して前記第2のワイヤレス通信デバイスにデータの第2のセットを送信するステップとを備える方法。
【請求項２】
前記通知するステップは、
定められた数のサブフレームの後に前記第2のアクセスリソースに遷移するよう前記第2のワイヤレス通信デバイスに通知するステップであって、前記第1のワイヤレス通信デバイスは、前記定められた数のサブフレームの後にデータの前記第2のセットを送信することを開始する、通知するステップをさらに備える請求項1に記載の方法。
【請求項３】
前記第1のワイヤレス通信デバイスによる、データの前記第1のセットの前記送信の前に前記第1のアクセスリソースを選択するステップと、
前記第1のワイヤレス通信デバイスによる、データの前記第1のセットの前記送信の前に前記第2のアクセスリソースを選択するステップとをさらに備える方法であって、
前記第1のアクセスリソースおよび前記第2のアクセスリソースは、それぞれ、前記共通プールおよび前記衝突低減プールからランダムに選択される請求項1に記載の方法。
【請求項４】
データの前記第1のセットの前記送信に先立って、前記第2のワイヤレス通信デバイスから前記共通プールおよび前記衝突低減プールを、1つまたは複数のブロードキャストの一部として受信するステップをさらに備える請求項1に記載の方法。
【請求項５】
前記第2のアクセスリソースを使用して前記送信を完了させるステップであって、データの前記第2のセットは、データの残りの量を含む、完了させるステップをさらに備える請求項1に記載の方法。
【請求項６】
前記判定は、
前記第1のワイヤレス通信デバイスによる、データの前記第1のセットの前記送信を開始するのに先立って、前記第2のワイヤレス通信デバイスからのダウンリンクメッセージを解析するステップと、
前記第1のワイヤレス通信デバイスによる、前記ダウンリンクメッセージの前記解析に少なくとも部分的に基づいて、データの前記第1のセットを含むデータの前記送信に関する送信メトリックを予測するステップと、
前記第1のワイヤレス通信デバイスによる、前記予測された送信メトリックを前記閾値と比較して、前記予測された送信メトリックが前記閾値を超えるかどうかを判定するステップとを備える請求項1に記載の方法。
【請求項７】
前記第1のワイヤレス通信デバイスによる、データの前記第1のセットの前記送信中に送信メトリックを測定するステップと、
前記第1のワイヤレス通信デバイスによる、データの前記第1のセットの前記送信中に前記測定された送信メトリックを前記閾値と比較して、前記測定された送信メトリックが前記閾値を超えるかどうかを判定するステップと、
前記第1のワイヤレス通信デバイスによる、前記比較に応答して前記第2のアクセスリソースを選択するステップと、
前記選択に応答して、前記第2のアクセスリソースに遷移する前記第2のワイヤレス通信デバイスに対する前記通知を、データの前記第1のセットの一部として含めるステップとをさらに備える請求項1に記載の方法。
【請求項８】
アクセスリソースの前記共通プールおよび前記衝突低減プールはそれぞれ、スクランブリングコード/アクセス時刻ペアまたはインターリーバ/アクセス時刻ペアの少なくとも1つを備え、
前記第1のワイヤレス通信デバイスは、すべてのインターネットデバイスを備え、かつ前記第2のワイヤレス通信デバイスは、基地局を備え、かつ
前記共通プールと前記衝突低減プールはともに、複数のすべてのインターネットデバイスの間で共有される請求項1に記載の方法。
【請求項９】
ワイヤレス通信のための方法であって、
第1のワイヤレス通信デバイスによる、アクセスリソースの共通プールを探索して、許可なしの送信の一部としてアクセスリソースの前記共通プールから選択された第1のアクセスリソースを使用して第2のワイヤレス通信デバイスから受信されたデータの第1のセットを回復するステップと、
前記第1のワイヤレス通信デバイスにおいて、前記第2のワイヤレス通信デバイスから、許可なし送信においてリソースを共有するように構成される衝突低減プールから選択された第2のアクセスリソースに遷移する通知を受信するステップであって、前記通知が前記選択された第2のアクセスリソースを示し、前記衝突低減プールは、前記共通プールとは別個であり、かつ前記共通プールより大きい、受信するステップと、
前記第1のワイヤレス通信デバイスにおいて、前記衝突低減プールを探索することなしに、前記第2のアクセスリソースに切り換えて、前記第2のワイヤレス通信デバイスからデータの第2のセットを回復するステップとを備える方法。
【請求項１０】
前記通知は、前記第2のアクセスリソースに遷移する前に遅延すべきサブフレームの定められた数を備える、請求項9に記載の方法。
【請求項１１】
前記通知を前記受信するステップは、前記通知を、前記第2のワイヤレス通信デバイスからデータの前記第1のセットの一部として受信するステップをさらに備える請求項9に記載の方法。
【請求項１２】
前記通知を前記受信するステップは、前記通知を、データの前記第1のセットの少なくとも一部分を受信した後に前記第1のアクセスリソースを使用して受信するステップをさらに備える請求項9に記載の方法。
【請求項１３】
アクセスリソースの前記共通プールおよび前記衝突低減プールはそれぞれ、スクランブリングコード/アクセス時刻ペアまたはインターリーバ/アクセス時刻ペアの少なくとも1つを備える、請求項9に記載の方法。
【請求項１４】
アクセスリソースの前記共通プールおよび前記衝突低減プールに含めるべきアクセスリソースの範囲を決定するステップをさらに備える請求項9に記載の方法。
【請求項１５】
前記第1のワイヤレス通信デバイスから前記第2のワイヤレス通信デバイスにアクセスリソースの前記決定された共通プールおよび前記衝突低減プールをブロードキャストするステップであって、前記第1のワイヤレス通信デバイスは、基地局を備え、かつ前記第2のワイヤレス通信デバイスは、すべてのインターネットデバイスを備える、ブロードキャストするステップをさらに備える、請求項14に記載の方法。
【請求項１６】
第2のワイヤレス通信デバイスに対する許可なしの送信の一部としてアクセスリソースの共通プールから第1のアクセスリソースを選択すること、および前記許可なしの送信が閾値を超えたという判定に応答して、許可なし送信においてリソースを共有するように構成される衝突低減プールから第2のアクセスリソースを選択することであって、前記衝突低減プールは、前記共通プールとは別個であり、かつ前記共通プールより大きい、選択することを行うように構成されたプロセッサと、
前記第1のアクセスリソースを使用して前記第2のワイヤレス通信デバイスにデータの第1のセットを送信することであって、データの前記第1のセットは、前記判定に応答して前記第2のアクセスリソースへの遷移の前記第2のワイヤレス通信デバイスに対する通知を含み、前記通知が前記選択された第2のアクセスリソースを示す、送信することと、前記第2のアクセスリソースを使用して前記第2のワイヤレス通信デバイスにデータの第2のセットを送信することとを行うように構成されたトランシーバとを備える第1のワイヤレス通信デバイスとを備える、第1のワイヤレス通信デバイス。
【請求項１７】
前記プロセッサは、前記通知に、前記第2のアクセスリソースに遷移する前に遅延すべきサブフレームの定められた数を含めるようにさらに構成される請求項16に記載の第1のワイヤレス通信デバイス。
【請求項１８】
アクセスリソースの前記共通プールおよび前記衝突低減プールを記憶するように構成されたメモリであって、アクセスリソースの前記共通プールおよび前記衝突低減プールはそれぞれ、スクランブリングコード/アクセス時刻ペアまたはインターリーバ/アクセス時刻ペアの少なくとも1つを備える、メモリをさらに備え、
前記プロセッサは、データの前記第1のセットを送信するのに先立って、前記第1のアクセスリソースをランダムに選択すること、および前記第2のアクセスリソースをランダムに選択することを行うようにさらに構成される、請求項16に記載の第1のワイヤレス通信デバイス。
【請求項１９】
前記トランシーバは、
データの前記第1のセットの前記送信に先立って、前記第2のワイヤレス通信デバイスから前記共通プールおよび前記衝突低減プールを、1つまたは複数のブロードキャストの一部として受信するようにさらに構成される、請求項16に記載の第1のワイヤレス通信デバイス。
【請求項２０】
前記トランシーバは、
前記第2のアクセスリソースを使用してデータの前記第2のセットの送信を完了させるようにさらに構成され、
データの前記第2のセットは、前記データの残りの量を含む、請求項16に記載の第1のワイヤレス通信デバイス。
【請求項２１】
前記プロセッサは、
前記データの第1のセットの前記送信を開始するのに先立って、前記第2のワイヤレス通信デバイスからのダウンリンクメッセージを解析すること、
前記ダウンリンクメッセージの前記解析に少なくとも部分的に基づいて、前記データの前記送信に関する送信メトリックを予測すること、および
前記予測された送信メトリックを前記閾値と比較して、前記予測された送信メトリックが前記閾値を超えるかどうかを判定することを行うようにさらに構成される、請求項16に記載の第1のワイヤレス通信デバイス。
【請求項２２】
前記プロセッサは、
前記データの第1のセットの前記送信中に送信メトリックを測定すること、
前記データの前記第1のセットの前記送信中に前記測定された送信メトリックを前記閾値と比較して、前記測定された送信メトリックが前記閾値を超えるかどうかを判定すること、
前記比較に応答して前記第2のアクセスリソースを選択すること、および
前記選択に応答して、前記第2のアクセスリソースに遷移する前記第2のワイヤレス通信デバイスに対する前記通知を、前記データの前記第1のセットの一部として含めることを行うようにさらに構成される、請求項16に記載の第1のワイヤレス通信デバイス。
【請求項２３】
前記第1のワイヤレス通信デバイスは、すべてのインターネットデバイスを備え、かつ前記第2のワイヤレス通信デバイスは、基地局を備え、かつ前記共通プールと前記衝突低減プールはともに、複数のすべてのインターネットデバイスの間で共有される、請求項16に記載の第1のワイヤレス通信デバイス。
【請求項２４】
第2のワイヤレス通信デバイスからデータの第1のセットを受信することであって、前記データの第1のセットは、許可なしの送信の一部としてアクセスリソースの共通プールから選択された第1のアクセスリソースを使用して前記第2のワイヤレス通信デバイスから送信される、受信することと、
前記第2のワイヤレス通信デバイスから、許可なし送信においてリソースを共有するように構成される衝突低減プールから選択された第2のアクセスリソースに遷移する通知を受信することであって、前記通知が前記選択された第2のアクセスリソースを示し、前記衝突低減プールは、前記共通プールとは別個であり、かつ前記共通プールより大きい、受信することと
を行うように構成されるトランシーバと
アクセスリソースの前記共通プールを探索して、前記第2のワイヤレス通信デバイスから受信されたデータの前記第1のセットを回復し、
前記衝突低減プールを探索することなしに、前記トランシーバを前記第2のアクセスリソースに切り換えて、前記第2のワイヤレス通信デバイスからデータの第2のセットを回復するように構成されたプロセッサとを備える第1のワイヤレス通信デバイス。
【請求項２５】
前記通知は、前記第2のアクセスリソースに遷移する前に遅延すべきサブフレームの定められた数を備える、請求項24に記載の第1のワイヤレス通信デバイス。
【請求項２６】
前記トランシーバは、前記通知を、前記第2のワイヤレス通信デバイスから前記データの第1のセットの一部として受信するようにさらに構成される、請求項24に記載の第1のワイヤレス通信デバイス。
【請求項２７】
前記トランシーバは、前記データの第1のセットの少なくとも一部分を受信した後に前記第1のアクセスリソースを使用して前記通知を受信するようにさらに構成される、請求項24に記載の第1のワイヤレス通信デバイス。
【請求項２８】
アクセスリソースの前記共通プールおよび前記衝突低減プールはそれぞれ、スクランブリングコード/アクセス時刻ペアまたはインターリーバ/アクセス時刻ペアの少なくとも1つを備える、請求項24に記載の第1のワイヤレス通信デバイス。
【請求項２９】
前記プロセッサは、アクセスリソースの前記共通プールおよび前記衝突低減プールに含めるべきアクセスリソースの範囲を決定するようにさらに構成され、かつ
前記トランシーバは、前記第2のワイヤレス通信デバイスにアクセスリソースの前記決定された共通プールおよび前記衝突低減プールをブロードキャストするようにさらに構成される、請求項24に記載の第1のワイヤレス通信デバイス。
【請求項３０】
前記第1のワイヤレス通信デバイスは、基地局を備え、かつ前記第2のワイヤレス通信デバイスは、すべてのインターネットデバイスを備える、請求項24に記載の第1のワイヤレス通信デバイス。